(57)【要約】    【課題】  フォーカシングに際しての収差変動が少なく、かつフォーカシングレンズ群の小型化及びレンズ重量の軽量化を図ることが容易な撮像光学系を得ること。    【解決手段】  物体側から像側へ順に、正の屈折力の第１レンズ群、負の屈折力の第２レンズ群、第３レンズ群を有し、フォーカシングに際して第２レンズ群が移動する撮像光学系において、第１レンズ群は最も像側に単一レンズよりなる又は複数のレンズを接合した接合レンズよりなる正レンズ成分を有し、第２レンズ群は１つの負レンズからなり、全系の焦点距離ｆ、第１レンズ群の焦点距離ｆ１、正レンズ成分の焦点距離ｆ１ｐ、第２レンズ群の焦点距離ｆ２ｎ、正レンズ成分の物体側のレンズ面の曲率半径Ｒｐ１、正レンズ成分の物体側のレンズの材料の屈折率Ｎｐ、第２レンズ群の負レンズの像側のレンズ面の曲率半径Ｒｎ２、第２レンズ群の負レンズの材料の屈折率Ｎｎを各々適切に設定すること。【選択図】    図１
2015215437.tif 000002
【特許請求の範囲】
【請求項１】
物体側から像側へ順に、正の屈折力の第１レンズ群、負の屈折力の第２レンズ群、第３レンズ群を有し、フォーカシングに際して前記第２レンズ群が移動する撮像光学系において、
前記第１レンズ群は最も像側に単一レンズよりなる又は複数のレンズを接合した接合レンズよりなる正レンズ成分を有し、前記第２レンズ群は１つの負レンズからなり、
全系の焦点距離をｆ、前記第１レンズ群の焦点距離をｆ１、前記正レンズ成分の焦点距離をｆ１ｐ、前記第２レンズ群の焦点距離をｆ２ｎ、前記正レンズ成分の物体側のレンズ面の曲率半径をＲｐ１、前記正レンズ成分の物体側のレンズ（正レンズ成分が単一のレンズよりなるときは該レンズ）の材料の屈折率をＮｐ、前記第２レンズ群の負レンズの像側のレンズ面の曲率半径をＲｎ２、前記第２レンズ群の負レンズの材料の屈折率をＮｎとするとき、
−０．２０＜ｆ２ｎ／ｆ＜−０．０１
０．９５＜（Ｎｐ＊Ｒｐ１）／（Ｎｎ＊Ｒｎ２）＜３．００
０．４０＜ｆ１ｐ／ｆ１＜１．２０
なる条件式を満たすことを特徴とする撮像光学系。
【請求項２】
無限遠にフォーカスしているときの前記正レンズ成分の物体側のレンズ面から前記第２レンズ群の像側のレンズ面までの距離をＤ１ｐ２ｎ、レンズ全長をＬとするとき、
０．０１＜Ｄ１ｐ２ｎ／Ｌ＜０．１０
なる条件式を満たすことを特徴とする請求項１に記載の撮像光学系。
【請求項３】
前記第１レンズ群の最も物体側のレンズの焦点距離をｆ１１、前記第１レンズ群の最も物体側のレンズの材料のアッベ数をν１１、前記第２レンズ群の負レンズの材料のアッベ数をν２ｎとするとき、
−０．４５＜（ｆ２ｎ＊ν２ｎ）／（ｆ１１＊ν１１）＜−０．０５
なる条件式を満たすことを特徴とする請求項１又は２に記載の撮像光学系。
【請求項４】
前記第３レンズ群の横倍率をβＲとするとき、
０．７８＜βＲ＜３．００
なる条件式を満たすことを特徴とする請求項１乃至３のいずれか１項に記載の撮像光学系。
【請求項５】
−１．５＜ｆ２ｎ／ｆ１ｐ＜−０．２
なる条件式を満たすことを特徴とする請求項１乃至４のいずれか１項に記載の撮像光学系
【請求項６】
瞳近軸光線が光軸と交わる位置よりも物体側に少なくとも１つの回折光学素子を有することを特徴とする請求項１乃至５のいずれか１項に記載の撮像光学系。
【請求項７】
請求項１乃至６のいずれか１項に記載の撮像光学系と、該撮像光学系によって形成される像を受光する撮像素子を有することを特徴とする撮像装置。
【発明の詳細な説明】
【技術分野】
【０００１】
本発明は撮像光学系に関し、特にビデオカメラ、デジタルスチルカメラ、ＴＶカメラ、監視カメラ等の撮像装置に好適なものである。
【背景技術】
【０００２】
長焦点距離の撮像光学系として、物体側から像側へ順に、正の屈折力の前方レンズ群と、負の屈折力の後方レンズ群が配置された撮像光学系（望遠レンズ）が知られている。ここで長焦点距離とは例えば有効撮像範囲の寸法に比べて焦点距離が長いことをいう。長焦点距離の撮像光学系は全体が大型となり、また高重量となりやすいため、光学系全体を移動させてフォーカシングを行うと、高速なフォーカシングが困難となる。従来、長焦点距離の撮像光学系において、光学系の一部の小型軽量なレンズ群を移動させてフォーカシングを行うものが提案されている（特許文献１，２）。
【０００３】
特許文献１は、正の屈折力の第１レンズ群、負の屈折力の第２レンズ群、負の屈折力の第３レンズ群、正の屈折力の第４レンズ群からなり、フォーカシングに際して第３レンズ群が光軸方向に移動する望遠レンズを開示している。特許文献２は、正の屈折力の第１レンズ群、負の屈折力の第２レンズ群を有し、第２レンズ群が１枚の負レンズから構成され、フォーカシングに際して第２レンズ群が光軸方向に移動する望遠レンズを開示している。
【先行技術文献】
【特許文献】
【０００４】
【特許文献１】特公昭６０−３２８４９号公報
【特許文献２】特開２００２−０７２０８２号公報
【発明の概要】
【発明が解決しようとする課題】
【０００５】
望遠タイプの撮像光学系では、全体が大型化及び高重量化するため、フォーカシングを高速に行うためには、前方レンズ群以外の小型で軽量のレンズ群を移動させてフォーカシングを行うインナーフォーカス方式を用いるのが有効である。インナーフォーカス方式を用いた望遠タイプの撮像光学系においては、フォーカスレンズ群及びフォーカスレンズ群よりも物体側のレンズのレンズ構成等を適切に設定することが重要になってくる。例えば、フォーカシングに際しての収差変動を低減し、全物体距離において高い光学性能を得ることが重要になってくる。
【０００６】
これらのレンズ構成が不適切であると、フォーカスレンズ群が大型化及び高重量化し、またフォーカシングに際して収差変動が増大し、全物体距離にわたり高い光学性能を得ることが困難になる。
【０００７】
本発明は、フォーカシングに際しての収差変動が少なく、かつ小型で軽量なフォーカスレンズ群を備える撮像光学系及びそれを有する撮像装置を提供することを目的とする。
【課題を解決するための手段】
【０００８】
本発明の撮像光学系は、物体側から像側へ順に、正の屈折力の第１レンズ群、負の屈折力の第２レンズ群、第３レンズ群を有し、
フォーカシングに際して前記第２レンズ群が移動する撮像光学系において、前記第１レンズ群は最も像側に単一レンズよりなる又は複数のレンズを接合した接合レンズよりなる正レンズ成分を有し、前記第２レンズ群は１つの負レンズからなり、
全系の焦点距離をｆ、前記第１レンズ群の焦点距離をｆ１、前記正レンズ成分の焦点距離をｆ１ｐ、前記第２レンズ群の焦点距離をｆ２ｎ、前記正レンズ成分の物体側のレンズ面の曲率半径をＲｐ１、前記正レンズ成分の物体側のレンズ（正レンズ成分が単一のレンズよりなるときは該レンズ）の材料の屈折率をＮｐ、前記第２レンズ群の負レンズの像側のレンズ面の曲率半径をＲｎ２、前記第２レンズ群の負レンズの材料の屈折率をＮｎとするとき、
−０．２０＜ｆ２ｎ／ｆ＜−０．０１
０．９５＜（Ｎｐ＊Ｒｐ１）／（Ｎｎ＊Ｒｎ２）＜３．００
０．４０＜ｆ１ｐ／ｆ１＜１．２０
なる条件式を満たすことを特徴としている。
【発明の効果】
【０００９】
本発明によれば、フォーカシングに際しての収差変動が少なく、小型で軽量なフォーカスレンズ群を備える撮像光学系が得られる。
【図面の簡単な説明】
【００１０】
【図１】（Ａ），（Ｂ）  本発明の実施例１の撮像光学系の物体距離無限遠時におけるレンズ断面図と収差図
【図２】（Ａ），（Ｂ）  本発明の実施例２の撮像光学系の物体距離無限遠時におけるレンズ断面図と収差図
【図３】（Ａ），（Ｂ）  本発明の実施例３の撮像光学系の物体距離無限遠時におけるレンズ断面図と収差図
【図４】（Ａ），（Ｂ）  本発明の実施例４の撮像光学系の物体距離無限遠時におけるレンズ断面図と収差図
【図５】（Ａ），（Ｂ）  本発明の実施例５の撮像光学系の物体距離無限遠時におけるレンズ断面図と収差図
【図６】本発明に係る回折光学素子の説明図
【図７】本発明に係る回折光学素子の説明図
【図８】本発明の撮像装置の説明図
【発明を実施するための形態】
【００１１】
以下に本発明の好ましい実施の形態を、添付の図面に基づいて説明する。本発明の撮像光学系は、物体側から像側へ順に、正の屈折力の第１レンズ群、負の屈折力の第２レンズ群、第３レンズ群を有する。フォーカシングに際して第２レンズ群が移動する。第１レンズ群は最も像側に単一レンズよりなる又は複数のレンズを接合した接合レンズよりなる正レンズ成分を有する。
【００１２】
図１（Ａ）は、本発明の実施例１の撮像光学系のレンズ断面図である。図１（Ｂ）は本発明の実施例１の撮像光学系の縦収差図である。実施例１はＦナンバー４．１２、撮像画角６．３４度の撮像光学系である。図２（Ａ）は、本発明の実施例２の撮像光学系のレンズ断面図である。図２（Ｂ）は本発明の実施例２の撮像光学系の縦収差図である。実施例２はＦナンバー２．９、撮像画角６．３２度の撮像光学系である。
【００１３】
図３（Ａ）は、本発明の実施例３の撮像光学系のレンズ断面図である。図３（Ｂ）は本発明の実施例３の撮像光学系の縦収差図である。実施例３はＦナンバー４．１２、撮像画角６．３４度の撮像光学系である。図４（Ａ）は、本発明の実施例４の撮像光学系のレンズ断面図である。図４（Ｂ）は本発明の実施例４の撮像光学系の縦収差図である。実施例４はＦナンバー５．７４、撮像画角２．６８度の撮像光学系である。
【００１４】
図５（Ａ）は、本発明の実施例５の撮像光学系のレンズ断面図である。図５（Ｂ）は本発明の実施例５の撮像光学系の縦収差図である。実施例５はＦナンバー５．８０、撮像画角３．１６度の撮像光学系である。図６（Ａ），（Ｂ）、図７（Ａ），（Ｂ），（Ｃ）は各々本発明に係る回折光学素子の説明図である。図８は本発明の撮像光学系をカメラ本体に装着した一眼レフカメラシステム（撮像装置）の要部概略図である。
【００１５】
各レンズ断面図において、Ｌ０は撮像光学系である。ＳＰは軸上光束の最大径を決定している開口絞りである。撮像光学系Ｌ０は正の屈折力の第１レンズ群Ｌ１、フォーカシングに際して移動する負の屈折力の第２レンズ群Ｌ２、第３レンズ群Ｌ３を有している。
【００１６】
実施例１，３，４，５は、瞳近軸光線が光軸と交わる位置よりも物体側に少なくとも１つの回折光学素子ＤＯＥを有している。ここで”瞳近軸光線”とは光学系全系の焦点距離を１に正規化し、光軸に対して−４５°で入射する光線の内、光学系の入射瞳と光軸との交点を通過する近軸光線のことである。（光学系への入射角度は、光軸から測って時計回りを正、半時計回りを負とする。また、物体は光学系の左側にあるものとし、物体側から光学系に入射する光線は左から右へ進むものとする。）
【００１７】
Ｌ１Ｐは第１レンズ群Ｌ１の最も像側に配置された単一レンズよりなる又は複数のレンズを接合した接合レンズよりなる正レンズ成分である。Ｇは、光学フィルター、フェースプレート、水晶ローパスフィルター、赤外カットフィルター等に相当する光学ブロックである。ＩＰは像面であり、ビデオカメラやデジタルカメラの撮影光学系として使用する際には像を受光するＣＣＤセンサやＣＭＯＳセンサ等の撮像素子（光電変換素子）の撮像面に相当し、銀塩フィルム用カメラの撮像光学系とし使用する際にはフィルム面に相当する。
【００１８】
球面収差図において、ｄ-line、ｇ-lineは順に、ｄ線、ｇ線である。非点収差図においてΔＭ、ΔＳは各々メリディオナル像面、サジタル像面である。倍率色収差はｇ線によって表している。ＦｎｏはＦナンバー、ωは半画角（度）である。すべての収差図においては、後述する各数値実施例をｍｍ単位で表したとき球面収差は０．４ｍｍ、非点収差は０．４ｍｍ、歪曲は２％、倍率色収差は０．０５ｍｍのスケールで描かれている。各実施例の撮像光学系Ｌ０は望遠型より成り、その特徴とする構成は次のとおりである。
【００１９】
一般的に、望遠型の光学系（撮像光学系）は光軸と瞳近軸光線の交わる点より物体側における軸上光束の周辺光線の入射高の最大値の方が、像側における軸上光束の周辺光線の入射高よりも高い。望遠型の光学系はこのようにテレフォトタイプ（望遠型）のレンズ構成をとっている。また各実施例の撮像光学系ではフォーカスレンズ群の屈折力を強めることでフォーカシングに際しての移動量を低減している。
【００２０】
各実施例と同様の屈折力配置からなる従来の撮像光学系において、無限遠から至近距離へのフォーカシングに際して第２レンズ群を像側に移動させると第２レンズ群に入射する軸上光束の周辺光線の入射高が低くなる。このため、主に第２レンズ群で生じる球面収差がフォーカシングに際して大きく変動する。この構成のまま第２レンズ群の屈折力を強めると球面収差の変動量が更に大きくなるため、高い光学性能を維持することが困難となる。
【００２１】
そこで、本発明の各実施例では第１レンズ群を構成する最も像側のレンズを単一レンズ又は接合レンズよりなる正レンズ成分としている。そして正レンズ成分のレンズ形状と屈折力及び第２レンズ群の負レンズのレンズ形状と屈折力等を適切に設定することで前記球面収差の変動を低減している。
【００２２】
以下に、このときの収差補正の原理を説明する。各実施例において、第２レンズ群には、周辺光線が収束する角度で入射する。このため、第２レンズ群は物体側に凸形状を持ったレンズ面を配置することが好ましい。そして、第２レンズ群が負レンズであることを考慮すると、第２レンズ群の像側のレンズ面を物体側に凸形状として負の屈折力を分担させるのが良い。
【００２３】
第２レンズ群の像側のレンズ面においては、フォーカシングに際して周辺光線の入射高が低くなることで球面収差の変動が生じる。このときの収差変動を補正するためには、第２レンズ群の像側のレンズ面とほぼ同形状の正の屈折力を持ったレンズ面において補正するのが有効である。
【００２４】
そこで、本発明者は撮像光学系が無限遠から近距離へフォーカシングするとき、第１レンズ群の像側では周辺光線の角度が無限遠時の角度と比較して浅くなることに着目した。この位置に物体側のレンズ面が凸形状のレンズ成分を配置すると、このレンズ面に対する入射角度が大きくなる。つまり、フォーカシングに際して球面収差が大きく変動することになる。このとき、各実施例では第１レンズ群の像側のレンズ成分の物体側のレンズ面と第２レンズ群の像側のレンズ面の曲率半径を適切に設定することで、２つの面で生じる収差変動を打ち消している。
【００２５】
さらに、第１レンズ群の像側の正レンズ成分においては、無限遠から近距離へのフォーカシングに際して軸上光束の周辺光線の入射高が高くなる。このとき、第２レンズ群への入射角度が大きくなり、これによって第２レンズ群での光線の入射高の変化による収差変動を打ち消すようにしている。
【００２６】
上記のように、第１レンズ群の最も像側の正レンズ成分と第２レンズ群の負レンズの双方のレンズ形状及び屈折力を適切に設定することで、フォーカスレンズ群を軽量にしつつ、フォーカシングに際しての移動量が小さくなるようにしている。
【００２７】
各実施例において第２レンズ群Ｌ２は１つの負レンズからなる。全系の焦点距離をｆ、第１レンズ群Ｌ１の焦点距離をｆ１、正レンズ成分Ｌ１Ｐの焦点距離をｆ１ｐ、第２レンズ群Ｌ２の焦点距離をｆ２ｎとする。正レンズ成分Ｌ１Ｐの物体側のレンズ面の曲率半径をＲｐ１、正レンズ成分Ｌ１Ｐの物体側のレンズ（正レンズ成分が単一のレンズよりなるときは該レンズ）の材料の屈折率をＮｐとする。第２レンズ群Ｌ２の負レンズの像側のレンズ面の曲率半径をＲｎ２、第２レンズ群Ｌ２の負レンズの材料の屈折率をＮｎとする。
【００２８】
このとき、
−０．２０＜ｆ２ｎ／ｆ＜−０．０１                      ・・・（１）
０．９５＜（Ｎｐ＊Ｒｐ１）／（Ｎｎ＊Ｒｎ２）＜３．００  ・・・（２）
０．４０＜ｆ１ｐ／ｆ１＜１．２０                        ・・・（３）
なる条件式を満たす。
【００２９】
条件式（１）は、フォーカスレンズ群の移動量を小さく抑え全系の小型化を図るためのものである。条件式（１）の上限を超えて、第２レンズ群Ｌ２の負の屈折力が強くなると、フォーカシングに際して第２レンズ群Ｌ２の移動量は小さくなるが、フォーカシングに際して収差変動が増大してくる。条件式（１）の下限を超えて第２レンズ群Ｌ２の負の屈折力が弱くなると、フォーカシングに際して第２レンズ群Ｌ２の移動量が大きくなり、全系が大型化してくる。
【００３０】
条件式（２）は、正レンズ成分Ｌ１Ｐのレンズ形状と第２レンズ群Ｌ２の負レンズのレンズ形状に関する。条件式（２）の上限を超えて、正レンズ成分Ｌ１Ｐの物体側のレンズ面の曲率半径が大きくなると、正レンズ成分より生ずる球面収差のフォーカシングにおける変動が第２レンズ群Ｌ２より生ずる球面収差の変動に対して小さくなるため良くない。条件式（２）の下限を超えて正レンズ成分Ｌ１Ｐの物体側のレンズ面の曲率半径が小さくなると、フォーカシングに際して正レンズ成分より生ずる球面収差の変動が第２レンズ群Ｌ２より生ずる球面収差での変動に対して大きくなるため良くない。
【００３１】
条件式（３）は、第１レンズ群Ｌ１の焦点距離と正レンズ成分の焦点距離に関する。条件式（３）の上限を超えて正レンズ成分の屈折力が弱くなると、それに応じて第２レンズ群Ｌ２の負の屈折力が弱くなり、フォーカシングに際して第２レンズ群Ｌ２の移動量が大きくなり良くない。条件式（３）の下限を超えて正レンズ成分Ｌ１Ｐの屈折力が強くなると、フォーカシングに際して、第１レンズ群Ｌ１より発生する収差変動が大きくなり、第２レンズ群Ｌ２より生ずる収差の変動量に対して過剰となるため良くない。更に好ましくは条件式（１）乃至（３）の数値範囲を次の如く設定するのが良い。
【００３２】
−０．１８＜ｆ２ｎ／ｆ＜−０．０６                        ・・・（１ａ）
０．９７＜（Ｎｐ＊Ｒｐ１）／（Ｎｎ＊Ｒｎ２）＜２．００    ・・・（２ａ）
０．６０＜ｆ１ｐ／ｆ１＜１．１０                          ・・・（３ａ）
更に好ましくは条件式（１ａ）乃至（３ａ）の数値範囲を次の如く設定するのが良い。
−０．１５＜ｆ２ｎ／ｆ＜−０．０６                        ・・・（１ｂ）
１．００＜（Ｎｐ＊Ｒｐ１）／（Ｎｎ＊Ｒｎ２）＜１．８０    ・・・（２ｂ）
０．６０＜ｆ１ｐ／ｆ１＜１．００                          ・・・（３ｂ）
【００３３】
各実施例では、以上の構成を取ることで全体として軽量で高い光学性能を有する撮像光学系が得られる。更に好ましくは次に述べる条件式のうち、１つ以上を満足するのが良く、これによれば更なる高い光学性能が得られる。無限遠にフォーカスしているときの正レンズ成分Ｌ１Ｐの物体側のレンズ面から第２レンズ群Ｌ２の像側のレンズ面までの距離をＤ１ｐ２ｎ、レンズ全長をＬとする。
【００３４】
第１レンズ群Ｌ１の最も物体側のレンズの焦点距離をｆ１１、第１レンズ群Ｌ１の最も物体側のレンズの材料のアッベ数をν１１、第２レンズ群Ｌ２の負レンズの材料のアッベ数をν２ｎとする。第３レンズ群Ｌ３の横倍率をβＲとする。無限遠にフォーカスしているときの光軸と瞳近軸光線が交わる点をＰとする。
【００３５】
このとき、次の条件式のうち１つ以上を満足するのが良い。
０．０１＜Ｄ１ｐ２ｎ／Ｌ＜０．１０                              ・・・（４）
−０．４５＜（ｆ２ｎ＊ν２ｎ）／（ｆ１１＊ν１１）＜−０．０５  ・・・（５）
０．７８＜βＲ＜３．００                                        ・・・（６）
−１．５＜ｆ２ｎ／ｆ１ｐ＜−０．２                              ・・・（７）
【００３６】
条件式（４）は第１レンズ群Ｌ１を構成する正レンズ成分Ｌ１Ｐと第２レンズ群Ｌ２の位置関係を規定する。条件式（４）の上限を超えると、正レンズ成分Ｌ１Ｐと第２レンズ群Ｌ２の負レンズへの光線の入射高さが大きく異なってくる。そうすると、フォーカシングに際して、収差変動を低減することが困難になる。条件式（４）の下限を超えると各レンズを干渉しないように配置するのが困難になる。
【００３７】
各実施例では、フォーカスレンズ群を１つの負レンズで構成しているため、フォーカシングに際して色収差の変動が大きくなりやすい。条件式（５）はこのときの色収差をフォーカスレンズ群と第１レンズ群の最も物体側のレンズで補正するためのものである。条件式（５）の上限値と下限値のどちらを超えても色収差の補正が困難となる。
【００３８】
条件式（６）は第３レンズ群Ｌ３の横倍率に関する。条件式（６）の上限を超えるとフォーカシングに際しての敏感度は高まるが、第２レンズ群Ｌ２よりも像側のレンズ群の屈折力が強くなり、収差補正が困難になる。条件式（６）の下限を超えるとフォーカシングに際しての敏感度が低下し、フォーカシングに際しての移動量が増加し、レンズ全長が増大してくる。
【００３９】
条件式（７）は、第２レンズ群Ｌ２の焦点距離と正レンズ成分Ｌ１Ｐの焦点距離との比に関する。条件式（７）の上限を超えるとフォーカシングに際して正レンズ成分Ｌ１Ｐによる球面収差の変動が第２レンズ群Ｌ２で生じる球面収差の変動よりも小さくなり、収差補正が困難となる。条件式（７）の下限を超えると、フォーカシングに際して正レンズ成分Ｌ１Ｐによる球面収差の変動が第２レンズ群Ｌ２で生じる球面収差の変動よりも大きくなり、収差補正が困難となる。更に望ましくは条件式（４）乃至（７）の数値範囲を次の如く設定するのが良い。
【００４０】
０．０２＜Ｄ１ｐ２ｎ／Ｌ＜０．０８                              ・・・（４ａ）
−０．４０＜（ｆ２ｎ＊ν２ｎ）／（ｆ１１＊ν１１）＜−０．０７  ・・・（５ａ）
０．７９＜βＲ＜２．００                                        ・・・（６ａ）
−０．９＜ｆ２ｎ／ｆ１ｐ＜−０．３                              ・・・（７ａ）
【００４１】
各実施例においては第１レンズ群Ｌ１又は第２レンズ群Ｌ２のうち少なくとも１つのレンズ群に１つ以上の非球面を設けるのが収差補正上好ましい。以下に、本発明の好ましい実施の形態を、添付の図面に基づいて詳細に説明する。
【００４２】
［実施例１］
実施例１では、物体側から像側へ順に、正の屈折力の第１レンズ群Ｌ１、負の屈折力の第２レンズ群Ｌ２、正の屈折力の第３レンズ群Ｌ３を有している。第１レンズ群Ｌ１は最も像側に正レンズ成分Ｌ１Ｐを有している。第２レンズ群Ｌ２と第３レンズ群Ｌ３の間に開口絞りＳＰを有している。無限遠から近距離へのフォーカシングに際して、第２レンズ群Ｌ２は像側に移動する。例えば、第２レンズ群Ｌ２を像側に１３．２６ｍｍ移動させることで横倍率β＝−０．５１５で撮影することができる。
【００４３】
小型で軽量な撮像光学系を実現するために、実施例１では第１レンズ群Ｌ１に色収差を効果的に補正することができる回折光学素子ＤＯＥを用いている。第１レンズ群Ｌ１は、物体側から像側へ順に、２つの正レンズを接合した接合レンズ、正レンズ、負レンズ、正レンズ、正レンズＬ１Ｐから構成されている。第２レンズ群Ｌ２は負レンズから構成されている。フォーカスレンズ群である第２レンズ群Ｌ２が１つの負レンズからなり、条件式（１）を満たす。これにより、軽量でしかも無限遠から近距離へのフォーカシングに際しての移動量が少ない撮像光学系を実現している。
【００４４】
さらに、正レンズ成分Ｌ１Ｐ、第２レンズ群Ｌ２が条件式（２）、（３）を満たすことでフォーカシングに際しての収差変動を抑制している。第３レンズ群Ｌ３は、物体側から像側へ順に、負レンズと正レンズを接合した接合レンズ、正レンズと負レンズを接合した接合レンズ、負レンズ、正レンズと負レンズを接合した接合レンズ、正レンズから構成されている。これにより良好なる光学性能を得ている。
【００４５】
［実施例２］
実施例２ではレンズ群の数、各レンズ群の屈折力の符号、正レンズ成分Ｌ１Ｐ、開口絞りＳＰの位置、フォーカシング動作等は実施例１と同様である。フォーカシングに際して第２レンズ群Ｌ２を像側へ６．５１ｍｍ移動させると横倍率β＝−０．２３８で撮影することができる。第１レンズ群Ｌ１は、物体側から像側へ順に、正レンズ、正レンズ、負レンズ、正レンズ、正レンズから構成されている。第２レンズ群Ｌ２は１つの負レンズから構成されている。
【００４６】
フォーカスレンズ群が１つの負レンズからなり、条件式（１）を満たす。これにより、実施例１と同様の効果を得ている。さらに、正レンズＬ１Ｐ、第２レンズ群Ｌ２が条件式（２）、（３）を満たすことで実施例１と同様の効果を得ている。第３レンズ群Ｌ３は物体側から像側へ順に、負レンズと正レンズを接合した接合レンズ、正レンズと負レンズを接合した接合レンズ、負レンズ、正レンズ、正レンズと負レンズを接合した接合レンズから構成されている。
【００４７】
［実施例３］
実施例３では、物体側から像側へ順に、正の屈折力の第１レンズ群Ｌ１、負の屈折力の第２レンズ群Ｌ２、負の屈折力の第３レンズ群Ｌ３を有している。第１レンズ群Ｌ１は最も像側に正レンズ成分Ｌ１Ｐを有している。第２レンズ群Ｌ２は１つの負レンズで構成されている。第２レンズ群Ｌ２と第３レンズ群Ｌ３の間に開口絞りＳＰを有している。第３レンズ群Ｌ３は、物体側から像側へ順に、正の屈折力の第３１レンズ群Ｌ３１、負の屈折力の第３２レンズ群Ｌ３２、正の屈折力の第３３レンズ群Ｌ３３を有している。フォーカシング動作は実施例１と同じである。
【００４８】
本実施例では第２レンズ群Ｌ２を像側へ４．２８ｍｍ移動させると横倍率β＝−０．１２８で撮影することができる。第３２レンズ群Ｌ３２を防振に際して光軸に対して直交する方向の成分を持つように移動させて、撮像光学系が振動した時の撮影画像のブレを補正している。小型で軽量な撮像光学系を実現するために、実施例３では第１レンズ群Ｌ１に色収差を効果的に補正することができる回折光学素子ＤＯＥを配置している。第１レンズ群Ｌ１は、物体側から像側へ順に、２つの正レンズを接合した接合レンズ、正レンズ、負レンズ、正レンズ、正レンズＬ１Ｐから構成されている。
【００４９】
第２レンズ群Ｌ２は１つの負レンズから構成されている。フォーカスレンズ群（第２レンズ群Ｌ２）が１つの負レンズからなり、条件式（１）を満たす。これにより、実施例１と同様の効果を得ている。さらに、正レンズＬ１Ｐ、第２レンズ群Ｌ２が条件式（２）、（３）を満たすことで実施例１と同様の効果を得ている。第３１レンズ群Ｌ３１は、物体側から像側へ順に、１つの負レンズと１つの正レンズを接合した接合レンズから構成されている。第３２レンズ群Ｌ３２は、物体側から像側へ順に、１つの正レンズと１つの負レンズを接合した接合レンズと、負レンズから構成されている。
【００５０】
第３３レンズ群Ｌ３３は、物体側から像側へ順に、正レンズと負レンズを接合した接合レンズと１つの正レンズから構成されている。
【００５１】
［実施例４］
実施例４ではレンズ群の数、各レンズ群の符号、正レンズ成分Ｌ１Ｐの位置等は実施例３と同様である。第２レンズ群Ｌ２は１つの負レンズから構成されている。第１レンズ群Ｌ１に開口絞りＳＰを配置している。フォーカシング動作は実施例１と同様である。
【００５２】
本実施例では、第２レンズ群Ｌ２を像側へ２７．０２ｍｍ移動させると横倍率β＝−０．６２３で撮影できる。第１レンズ群Ｌ１は、物体側から像側へ順に、正レンズ、負レンズと正レンズを接合した接合レンズ、負レンズ、正レンズ、正レンズと負レンズを接合した接合レンズ、開口絞りＳＰ、正レンズと負レンズを接合した接合レンズから構成されている。
【００５３】
正レンズ成分Ｌ１Ｐは最も像側の正レンズと負レンズを接合した接合レンズからなる。正レンズ成分Ｌ１Ｐが接合レンズの場合、パラメータｆ１ｐは接合レンズ全体の焦点距離、条件式（２）におけるパラメータＮｐは正レンズ成分Ｌ１Ｐの物体側のレンズの材料の屈折率としている。第２レンズ群Ｌ２は１つの負レンズから構成されている。
【００５４】
フォーカスレンズ群である第２レンズ群Ｌ２が１つの負レンズからなり、条件式（１）を満たす。これにより、実施例１と同様の効果を得ている。さらに、正レンズ成分Ｌ１Ｐ、第２レンズ群Ｌ２が条件式（２）、（３）を満たすことでフォーカシングに際して実施例１と同様の効果を得ている。
【００５５】
第３レンズ群Ｌ３は、物体側から像側へ順に、以下のレンズで構成される。第３レンズ群Ｌ３は、正レンズ、正レンズと負レンズを接合した接合レンズ、負レンズ、正レンズ、正レンズと負レンズを接合した接合レンズ、正レンズと負レンズ２枚を接合した接合レンズ、正レンズと負レンズ２枚を接合した接合レンズから構成されている。
【００５６】
［実施例５］
実施例５ではレンズ群の数、各レンズ群の屈折力の符号、正レンズ成分Ｌ１Ｐ、開口絞りの位置等は実施例３と同様である。第２レンズ群Ｌ２は１つの負レンズで構成されている。フォーカシング動作は実施例１と同様である。本実施例では第２レンズ群Ｌ２を像側に６９．６１ｍｍ移動させると横倍率β＝−１．０１で撮影できる。小型で軽量な撮像光学系を実現するために、第１レンズ群Ｌ１に色収差を効果的に補正することが容易な回折光学素子ＤＯＥを配置している。
【００５７】
第１レンズ群Ｌ１は、物体側から像側へ順に、正レンズ、負レンズと正レンズを接合した接合レンズ、正レンズから構成されている。第２レンズ群Ｌ２は１つの負レンズから構成されている。フォーカスレンズ群である第２レンズ群Ｌ２が１つの負レンズからなり、条件式（１）を満たす。これにより、実施例１と同様の効果を得ている。さらに、正レンズ成分Ｌ１Ｐ、第２レンズ群Ｌ２が条件式（２）、（３）を満たすことでフォーカシングに際して実施例１と同様の効果を得ている。
【００５８】
第３レンズ群Ｌ３は、物体側から像側へ順に、以下のレンズで構成される。第３レンズ群Ｌ３は、負レンズと正レンズを接合した接合レンズ、正レンズと負レンズを接合した接合レンズ、負レンズ、正レンズ、正レンズと負レンズを接合した接合レンズ、負レンズ、正レンズと負レンズを接合した接合レンズから構成されている。
【００５９】
次に、実施例１，３，４，５の撮像光学系で用いた回折光学素子ＤＯＥの構成について説明する。撮像光学系内に配置される回折光学素子ＤＯＥを構成する回折光学部は、光軸に対して回転対称な回折格子より成っている。
【００６０】
図６（Ａ）は回折光学素子１の回折光学部の一部分の拡大断面図である。図６（Ａ）は基板（透明基板）２上に１つの層よりなる回折格子（回折光学部）３を設けている。図６（Ｂ）は、この回折光学素子１の回折効率の特性を示す説明図である。図６（Ｂ）において横軸は波長を表し、縦軸は回折効率を表している。なお、回折効率は全透過光束に対する回折光の光量の割合であり、格子部３ａの境界面での反射光などは説明が複雑になるのでここでは考慮していない。
【００６１】
回折格子３の光学材料は、紫外線硬化樹脂（屈折率ｎｄ＝１．５１３、アッベ数νｄ＝５１．０）を用いている。格子部３ａの格子厚ｄ１を１．０３μｍと設定し、波長５３０ｎｍ、＋１次の回折光の回折効率が最も高くなるようにしている。すなわち設計次数が＋１次で、設計波長が波長５３０ｎｍである。図６（Ｂ）中において＋１次の回折光の回折効率は実線で示している。
【００６２】
さらに、図６（Ｂ）では設計次数近傍の回折次数（＋１次±１次である０次と＋２次）の回折効率も併記している。図から分かるように、設計次数での回折効率は設計波長近傍で最も高くなり、それ以外の波長では徐々に低くなる。この設計次数での回折効率の低下分が他の次数の回折光（不要光）となり、フレアの要因となる。また、回折光学素子を光学系中の複数箇所に使用した場合には、設計波長以外の波長での回折効率の低下は透過率の低下にもつながることになる。
【００６３】
次に、異なる材料よりなる複数の回折格子を積層した積層型の回折光学素子について説明する。図７（Ａ）は積層型の回折光学素子１の一部拡大断面図であり、図７（Ｂ）は図７（Ａ）に示す回折光学素子１の＋１次の回折光の回折効率の波長依存性を表す図である。図７（Ａ）の回折光学素子１では、基板１０２上に紫外線硬化樹脂（屈折率ｎｄ＝１．４９９、アッベ数νｄ＝５４）からなる第１の回折格子１０４を形成している。
【００６４】
更にその上に第２の回折格子１０５（屈折率ｎｄ＝１．５９８、アッベ数νｄ＝２８）を形成している。この材料の組み合わせにおいて、第１の回折格子１０４の格子部１０４ａの格子厚ｄ１はｄ１＝１３．８μｍ、第２の回折格子１０５の格子部１０５ａの格子厚ｄ２はｄ２＝１０．５μｍとしている。
【００６５】
図７（Ｂ）からも分かるように、積層構造の回折格子１０４、１０５を備えた回折光学素子１にすることで、設計次数の回折光において使用波長全域（ここでは可視域）で９５％以上という高い回折効率を得ている。なお、積層構造の回折光学素子１としては、図７（Ｃ）のように材料の組み合わせによっては２つの層１０４と１０５の格子厚を等しくしても良い。この場合は空気層を隔てて２つの回折格子の層を配置しても良い。
【００６６】
回折光学部は光学面の上に施されているが、そのベースは球面又は平面又は非球面でも良い。また、回折光学部は、それらの光学面にプラスチックなどの膜を回折光学部（回折面）として添付する方法である所謂レプリカ非球面で作成しても良い。回折格子の形状は、その２ｉ次項の位相係数をＣ２ｉとした時、光軸からの距離Ｈにおける位相φ（Ｈ）は次式で表される。ただしｍは回折次数、λ０は基準波長である。
【００６７】
【数１】
2015215437.tif 000003
【００６８】
一般に、レンズ、プリズム等の屈折光学材料のアッベ数（分散値）νｄは、ｄ、Ｃ、Ｆ線の各波長における屈折力をＮｄ、ＮＣ、ＮＦとした時、次式で表される。
【００６９】
νｄ＝（Ｎｄ−１）／（ＮＦ−ＮＣ）＞０      ・・・（ｂ）
一方、回折光学部のアッベ数νｄはｄ、Ｃ、Ｆ線の各波長をλｄ、λＣ、λＦとした時
νｄ＝λｄ／（λＦ−λＣ）                  ・・・（ｃ）
と表され、νｄ＝−３．４５となる。
【００７０】
これにより、任意波長における分散性は、屈折光学素子と逆作用を有する。また、回折光学部の基準波長における近軸的な一時回折光（ｍ ＝ １）の屈折力φは、回折光学部の位相を表す前式（ａ）から２次項の係数をＣ２としたとき、φＤ= −２・Ｃ２と表される。さらに、任意波長をλ、基準波長をλ０としたとき、任意波長の基準波長に対する屈折力変化は、次式となる。
【００７１】
φＤ’＝（λ／λ０）×（−２・Ｃ２）            ・・・（ｄ）
これにより、回折光学部の特徴として、前式（ａ）の位相係数Ｃ２を変化させることにより、弱い近軸屈折力変化で大きな分散性が得られる。
【００７２】
これは色収差以外の諸収差に大きな影響を与えることなく、色収差の補正を行うことを意味している。また位相係数Ｃ４以降の高次数の係数については、回折光学部の光線入射高の変化に対する屈折力変化は非球面と類似した効果を得ることができる。
【００７３】
それと同時に、光線入射高の変化に応じて基準波長に対し任意波長の屈折力変化を与えることができる。このため、倍率色収差の補正に有効である。さらに本発明の撮影光学系の第１レンズ群Ｌ１のように、軸上光線がレンズ面を通過する際、光軸からの高さが高い位置を通過する面に回折光学素子を配置すれば、軸上色収差の補正にも有効である。
【００７４】
以下に本発明の実施例１〜６に対応する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉとνｄｉは第ｉ番目の光学部材の屈折率とアッベ数である。無限遠に焦点を合わせたときの全系の焦点距離、Ｆナンバー、半画角（度）、像高、レンズ全長、バックフォーカスを示す。
【００７５】
バックフォーカスＢＦは最終レンズ面から像面までの空気換算距離である。レンズ全長は第１レンズ面から最終レンズ面までの距離にバックフォーカスを加えた値である。回折光学素子（回折面）は前述（ａ）式の位相関数の位相係数を与えることで表している。非球面形状は光軸方向にＸ軸、光軸と垂直方向にＨ軸、光の進行方向を正、Ｒを近軸曲率半径、ｋを離心率、A4、A6、A8、A10、A12を各々非球面係数としたとき、
【００７６】
【数２】
2015215437.tif 000004
【００７７】
なる式で表している。例えば「ｅ−ｚ」の表示は「１０-Z」を意味している。前述の各条件式と数値実施例における諸数値との関係を表１に示す。
【００７８】
(数値実施例１)
単位 mm
面データ
面番号       r        d      nd         νd       有効径
1*       107.277    6.25   1.80518    25.4       95.06
2(回折)  157.428   10.96   1.48749    70.2       93.83
3      -5976.740   20.90                         92.52
4         86.883    8.58   1.48749    70.2       76.03
5        306.554    8.14                         74.59
6        124.320    3.60   1.80000    29.8       65.13
7         39.958    1.30                         56.80
8         40.368   11.85   1.48749    70.2       56.95
9        165.845   31.00                         55.99
10*        48.292    7.03   1.48749    70.2       42.48
11       -358.557    0.50                         41.56
12       -663.031    1.80   1.67003    47.2       33.00
13*        28.124   19.26                         29.39
14(絞り)    ∞       6.00                         25.56
15        181.888    1.30   1.80809    22.8       24.66
16         33.941    4.75   1.61293    37.0       24.78
17        -56.988    1.50                         24.92
18         69.360    4.76   1.71736    29.5       24.71
19        -35.209    1.30   1.74400    44.8       24.45
20         36.854    2.74                         23.55
21        -86.327    1.30   1.81600    46.6       23.55
22         83.517    2.00                         24.27
23        246.089    5.97   1.66680    33.0       25.33
24        -21.346    1.40   1.81600    46.6       25.82
25        -78.069   12.37                         27.89
26       -581.142    7.20   1.51742    52.4       35.16
27*       -47.527    2.38                         36.49
28          ∞       2.20   1.51633    64.1       45.00
29          ∞                                    45.00
像面        ∞   
【００７９】
非球面データ（回折面データ）
第1面
K = 0.00000e+000  A 4=-6.11998e-008  A 6=-3.22409e-012 
A 8=-4.42037e-016  A10= 6.43827e-021  A12=-8.14832e-024  
第2面(回折面)
C 2=-3.43182e-005  C 4=-2.34117e-009  C 6= 1.31025e-012 
C 8=-2.69466e-016  
第10面
K = 0.00000e+000  A 4=-5.55751e-007  A 6=-1.39261e-011 
A 8=-1.12577e-012  A10= 3.52174e-015  A12=-4.26686e-018  
第13面
K = 0.00000e+000  A 4=-1.33867e-006  A 6=-4.06012e-009 
A 8= 8.49807e-012  A10=-4.46644e-014  A12= 5.68679e-017  
第27面
K = 0.00000e+000  A 4=-1.90916e-006  A 6=-6.70285e-010 
A 8=-5.80310e-013  A10=-2.07153e-016  
各種データ
焦点距離     390.97  
Fナンバー      4.12  
半画角（度）   3.17  
像高          21.64  
レンズ全長   255.66  
BF            71.87  
入射瞳位置   506.18  
射出瞳位置   -66.54  
前側主点位置-238.62  
後側主点位置-322.92  
レンズ群データ
群  始面    焦点距離  レンズ構成長  前側主点位置  後側主点位置
1    1      92.06       109.83        84.50        -61.19
2   12     -40.22         1.80         1.03         -0.04
3   15     791.24        57.18       181.66        169.26
単レンズデータ
レンズ  始面  焦点距離
1       1    385.98
2       2    308.18
3       4    245.57
4       6    -75.03
5       8    106.16
6      10     87.80
7      12    -40.22
8      15    -51.84
9      16     35.41
10      18     33.19
11      19    -24.02
12      21    -51.84
13      23     29.72
14      24    -36.41
15      26     99.58
【００８０】
（数値実施例２）
単位 mm
面データ
面番号       r        d      nd         νd       有効径
1*       140.330   16.67   1.80518    25.4      136.53
2        439.574   43.52                        134.57
3        108.805   20.72   1.43875    94.9      100.84
4       -339.556    1.76                         97.17
5       -227.440    5.00   1.80000    29.8       97.16
6         63.688    0.20                         85.58
7         64.175   22.27   1.43875    94.9       85.63
8       -546.029    9.73                         85.14
9*        65.294   17.81   1.69700    48.5       79.57
10       -278.587    5.00                         77.86
11        876.873    3.50   1.80100    35.0       63.46
12*        40.633   63.72                         53.42
13(絞り)    ∞       3.00                         41.59
14      -1132.853    3.00   1.56384    60.7       40.97
15        183.943    6.50   1.53172    48.8       40.42
16        -66.714    2.00                         40.14
17        116.897    7.00   1.75520    27.5       38.00
18       -129.973    3.00   1.60311    60.6       36.85
19         38.162    8.00                         34.06
20        -91.104    2.50   1.59282    68.6       34.29
21         73.546    2.50                         35.76
22         94.548    5.00   1.62588    35.7       37.35
23       -247.277    0.10                         37.98
24         50.398    8.99   1.48749    70.2       39.58
25        -81.147    3.00   1.74400    44.8       39.41
26       1135.005    5.00                         39.49
27          ∞       2.20   1.51633    64.1       39.74
28          ∞                                    39.82
像面        ∞   
【００８１】
非球面データ
第1面
K = 0.00000e+000  A 4= 9.84454e-009  A 6= 3.44098e-013 
A 8= 1.57423e-016  A10=-2.63461e-020  A12= 3.75126e-024  
第9面
K = 0.00000e+000  A 4=-3.09177e-007  A 6=-8.75430e-011 
A 8=-4.21189e-015  A10= 2.04294e-018  A12=-4.41075e-022  
第12面
K = 0.00000e+000  A 4=-2.97373e-007  A 6=-2.56237e-010 
A 8=-1.35023e-013  A10= 1.27211e-016  A12=-1.79381e-019  
各種データ 
焦点距離     392.00  
Fナンバー      2.90  
半画角（度）   3.16  
像高          21.64  
レンズ全長   337.95  
BF            73.47  
入射瞳位置   758.00  
射出瞳位置   -47.64  
前側主点位置-190.16  
後側主点位置-324.98  
レンズ群データ
群  始面    焦点距離  レンズ構成長  前側主点位置  後側主点位置
1    1     100.12       137.67       108.56        -50.70
2   11     -53.29         3.50         2.04          0.09
3   14     585.06        61.79        -1.06        -48.70
単レンズデータ
レンズ  始面  焦点距離
1       1    249.81
2       3    190.49
3       5    -61.72
4       7    132.36
5       9     77.54
6      11    -53.29
7      14   -280.43
8      15     92.91
9      17     82.50
10      18    -48.59
11      20    -68.26
12      22    109.90
13      24     65.23
14      25   -101.68
【００８２】
（数値実施例３）
単位 mm
面データ
面番号       r        d      nd         νd       有効径
1*       119.339    5.31   1.80518    25.4       94.91
2(回折)  162.991   10.89   1.48749    70.2       93.96
3      -1392.929   20.90                         92.96
4         97.245    8.58   1.48749    70.2       77.87
5        284.085   18.61                         76.00
6        116.254    3.60   1.80000    29.8       59.89
7         39.446    0.26                         53.22
8         39.221   10.39   1.48749    70.2       53.28
9        158.134   26.28                         52.29
10         52.415    6.27   1.48749    70.2       37.60
11       49547.598    0.40                         35.90
12        647.115    1.80   1.80610    40.9       34.00
13         43.111   19.41                         31.57
14(絞り)    ∞       6.00                         26.05
15       -258.133    1.30   1.80809    22.8       25.21
16         51.719    4.75   1.67270    32.1       25.22
17        -59.662    1.50                         25.32
18         88.604    4.99   1.69895    30.1       24.75
19        -36.344    1.30   1.69700    48.5       24.45
20         37.815    3.55                         23.66
21        -83.738    1.30   1.81600    46.6       23.82
22         80.707    2.00                         24.58
23         78.465    5.96   1.64769    33.8       26.21
24        -28.106    1.40   1.72000    46.0       26.64
25       -158.444   20.07                         27.97
26         87.846    5.00   1.56732    42.8       37.63
27       -289.926    2.38                         37.87
28          ∞       2.20   1.51633    64.1       42.00
29          ∞                                    42.00
像面        ∞   
【００８３】
非球面データ（回折面データ）
第1面
K = 0.00000e+000  A 4=-4.80951e-008  A 6=-1.18577e-012 
A 8=-8.08761e-016  A10= 1.91514e-019  A12=-2.92401e-023  
第2面(回折面)
C 2=-3.19332e-005  C 4=-2.03939e-009  C 6= 8.81770e-013 
C 8=-1.59618e-016  
各種データ
焦点距離     391.00  
Fナンバー      4.12  
半画角（度）   3.17  
像高          21.64  
レンズ全長   255.66  
BF            63.84  
入射瞳位置   484.34  
射出瞳位置   -74.28  
前側主点位置-263.06  
後側主点位置-330.99  
レンズ群データ
群  始面    焦点距離  レンズ構成長  前側主点位置  後側主点位置
1    1     103.82       111.09        72.58        -66.98
2   12     -57.38         1.80         1.07          0.07
3   15    -796.43        63.69      -172.08       -293.79
単レンズデータ
レンズ  始面  焦点距離
1       1    508.22
2       2    294.39
3       4    298.81
4       6    -76.22
5       8    104.02
6      10    107.63
7      12    -57.38
8      15    -53.22
9      16     41.90
10      18     37.49
11      19    -26.40
12      21    -50.19
13      23     32.67
14      24    -47.67
15      26    119.41
【００８４】
（数値実施例４）
単位 mm
面データ
面番号       r        d      nd         νd       有効径
1*       276.151   11.19   1.48749    70.2      102.00
2       -242.175   59.46                        101.86
3        103.005    4.00   1.83481    42.7       78.19
4(回折)   77.627   13.69   1.48749    70.2       74.95
5       -361.178    5.05                         74.04
6        212.065    4.32   1.72916    54.7       66.54
7         80.709   13.43                         61.97
8        140.578    7.96   1.43387    95.1       57.84
9       -139.014    0.61                         57.03
10       3006.450    7.60   1.74000    28.3       53.92
11        -84.763    2.50   1.85026    32.3       52.36
12        261.618   35.20                         49.30
13(絞り)    ∞       3.00                         37.37
14         62.321    5.39   1.51633    64.1       35.54
15       -171.244    1.60   1.80809    22.8       34.74
16       -627.905    1.87                         34.03
17        229.325    1.50   1.88300    40.8       22.78
18         31.725   31.98                         21.35
19        -84.008    2.60   1.48749    70.2       18.40
20        -38.547    4.76                         18.56
21         71.926    2.86   1.84666    23.8       17.74
22        -44.518    1.62   1.88300    40.8       17.48
23         33.907    2.03                         16.87
24       -272.593    1.57   1.88300    40.8       16.98
25         44.113    4.00                         17.23
26*        26.895    3.63   1.67270    32.1       20.22
27         92.346    2.89                         20.10
28         35.614    7.32   1.65412    39.7       20.31
29        -14.417    1.50   1.78590    44.2       19.94
30         23.290    1.25                         19.66
31         28.350    9.77   1.65412    39.7       20.43
32        -16.387    0.10   1.62898    19.4       20.87
33        -21.231    1.60   1.88300    40.8       20.96
34        136.897    0.27                         22.02
35         54.439   10.00   1.65412    39.7       22.61
36        -19.277    0.10   1.62898    19.4       23.40
37        -23.179    1.60   1.59282    68.6       23.52
38       -178.044    3.00                         24.05
39          ∞       2.20   1.51633    64.1       24.42
40          ∞                                    24.58
像面        ∞   
【００８５】
非球面データ（回折面データ）
第1面
K =-1.72095e+001  A 4=-3.69584e-008  A 6=-1.23138e-011 
A 8= 1.13489e-015  A10= 1.14731e-020  A12=-3.60063e-023 
A14= 4.49296e-027  
第4面(回折面)
C 2=-3.49322e-005  C 4= 3.25385e-010  C 6= 4.31064e-013 
C 8=-1.90266e-015  C10= 1.90433e-018  C12=-1.54080e-022 
C14=-6.59843e-025  C16= 2.88661e-029  C18= 3.43385e-031 
C20=-1.25542e-034  
第26面
K = 4.19298e-001  A 4= 1.90136e-006  A 6= 2.50949e-008  A 8=-3.02694e-011  A10= 1.13260e-012  A12=-4.44664e-017  
各種データ 
焦点距離     585.00  
Fナンバー      5.74  
半画角（度）   1.34  
像高          13.66  
レンズ全長   299.25  
BF            29.45 
入射瞳位置   465.73  
射出瞳位置   -79.24  
前側主点位置-2232.36  
後側主点位置-560.00  
レンズ群データ
群  始面    焦点距離  レンズ構成長  前側主点位置  後側主点位置
1    1     130.74       174.99       149.14       -100.04
2   11     -41.85         1.50         0.93          0.13
3   14    -142.48        64.66         4.88        -45.03
単レンズデータ
レンズ  始面  焦点距離
1       1    266.56
2       3   -418.25
3       4    131.22
4       6   -181.21
5       8    162.50
6      10    111.52
7      11    -75.05
8      14     89.19
9      15   -291.83
10      17    -41.85
11      19    143.43
12      21     32.85
13      22    -21.59
14      24    -42.90
15      26     55.18
16      28     16.65
17      29    -11.14
18      31     17.38
19      32   -115.10
20      33    -20.72
21      35     23.00
22      36   -183.87
23      37    -45.12
【００８６】
（数値実施例５）
単位 mm
面データ
面番号       r        d      nd         νd       有効径
1*       199.616   19.60   1.48749    70.2      135.55
2       -452.880  106.24                        134.85
3*       252.383    5.50   1.88300    40.8       92.24
4(回折)   90.525   19.00   1.43875    94.9       88.39
5       -967.462   19.21                         87.96
6        118.556   13.57   1.43387    95.1       84.20
7       -340.467    2.50                         83.15
8       1328.808    2.00   1.67790    55.3       58.97
9         81.652   78.41                         55.97
10(絞り)    ∞      10.00                         35.91
11        984.974    1.88   1.84666    23.8       33.14
12         64.185    5.99   1.59551    39.2       32.51
13        -99.500    2.35                         32.24
14        151.726    3.87   1.80809    22.8       30.57
15       -110.857    1.94   1.83481    42.7       29.95
16         58.859    4.35                         28.58
17       -177.828    1.90   1.74100    52.6       28.35
18        175.061    2.00                         28.35
19         62.333    3.45   1.59551    39.2       28.73
20        266.131   23.48                         28.82
21        136.312    9.01   1.59551    39.2       32.83
22        -39.954    2.00   1.43875    94.9       32.89
23       -325.950    4.11                         32.45
24        -49.601    2.00   1.43875    94.9       32.14
25         57.639    1.18                         32.81
26         62.312   10.31   1.61340    44.3       33.25
27        -48.144    2.00   1.80809    22.8       33.43
28       -217.931    6.42                         33.90
29          ∞       2.20   1.51633    64.1       34.42
30          ∞                                    34.53
像面        ∞   
【００８７】
非球面データ（回折面データ）
第1面
K =-7.60799e-001  A 4=-2.30505e-008  A 6=-7.33266e-013 
A 8= 3.25253e-017  A10=-4.87973e-021  A12= 3.45749e-025  
第3面
K = 1.60889e-001  A 4=-2.43831e-010  A 6= 4.49994e-012 
A 8=-5.05852e-016  A10= 1.89012e-019  A12=-2.29760e-023  
第4面(回折面)
C 2=-2.83130e-005  C 4=-9.45367e-010  C 6= 6.42059e-013 
C 8=-2.26983e-016  C10= 1.90009e-019  C12=-3.25415e-023  
各種データ
焦点距離     786.20  
Fナンバー      5.80  
半画角（度）   1.58  
像高          21.64  
レンズ全長   485.25  
BF           127.41  
入射瞳位置   1097.22  
射出瞳位置   -85.77  
前側主点位置-1127.06  
後側主点位置-666.65  
レンズ群データ
群  始面    焦点距離  レンズ構成長  前側主点位置  後側主点位置
1    1     186.96       183.12       127.65       -104.31
2    8    -128.42         2.00         1.27          0.08
3   11    -331.77       100.42        -1.14        -86.92
単レンズデータ
レンズ  始面  焦点距離
1       1    287.03
2       3   -163.94
3       4    187.71
4       6    204.51
5       8   -128.42
6      11    -81.17
7      12     66.43
8      14     79.79
9      15    -45.82
10      17   -118.78
11      19    135.83
12      21     52.89
13      22   -104.01
14      24    -60.42
15      26     45.91
16      27    -76.87
【００８８】
【表１】
2015215437.tif 000005
【００８９】
次に本発明の撮像光学系を撮像装置（カメラシステム）に適用した実施例を説明する。図８は一眼レフカメラの要部概略図である。
【００９０】
図８において、１０は実施例１乃至５のいずれか１つの撮像光学系１を有する撮像レンズである。撮影光学系１は保持部材である鏡筒２に保持されている。２０はカメラ本体である。カメラ本体は撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その正立像を観察するための接眼レンズ６等によって構成されている。
【００９１】
７は感光面であり、ＣＣＤセンサやＣＭＯＳセンサ等の撮像素子（光電変換素子）や銀塩フィルムが配置される。撮影時にはクイックリターンミラー３が光路から退避して、感光面７上に撮影レンズ１０によって像が形成される。このように実施例１〜５の撮像光学系を写真用カメラや、ビデオカメラ、デジタルスチルカメラ等の撮像装置に適用することにより、軽量で高い光学性能を有する撮像装置を実現している。尚、本発明の撮影光学系はクイックリターンミラーのない撮像装置にも適用することができる。
【符号の説明】
【００９２】
Ｌ１  第１レンズ群      Ｌ２  第２レンズ群      Ｌ３  第３レンズ群
Ｌ１Ｐ  正レンズ成分
【図１】
2015215437.tif 000006
【図２】
2015215437.tif 000007
【図３】
2015215437.tif 000008
【図４】
2015215437.tif 000009
【図５】
2015215437.tif 000010
【図６】
2015215437.tif 000011
【図７】
2015215437.tif 000012
【図８】
2015215437.tif 000013